(57)【要約】      （修正有）【課題】片手で開閉を容易に行えて、しかも所望の開口量を自由に設定できる特にミント粒、キャンディ、薬剤等の粒状物に適した携帯用の容器を提供する。【解決手段】蓋体１２とこれとスライド可能に嵌合する容器本体１１と具え、これらが互いにスライドして蓋体による容器本体の開閉をなす様にポータブル容器１０を構成する。前記容器本体は底部とこの底部から立設される一対の側壁と一対の端部壁を有し、前記蓋体は表面部と互いに対向する一対の側壁と端部壁２３を有し、蓋体を閉位置に固定する係止手段を設け、蓋体と容器本体のスライド規制手段を設け、前記係止手段は蓋体の表面に形成され蓋体の閉位置において容器本体の端部壁に係合して蓋体を固定するストッパー爪で構成する。さらに、前記スライド規制手段を、容器本体の側壁に形成したスライド溝２４と蓋体の側壁に形成され前記スライド溝に嵌合するガイド爪２５により構成する。【選択図】図１
0003167777.tif 000002
【実用新案登録請求の範囲】
【請求項１】
蓋体とこれとスライド可能に嵌合する容器本体とを具えて蓋体に対して本体部をスライドさせて本体部を露出させて粒状又は粉状の内容物の小出しを可能にしたポータブル容器であって、前記容器本体は底部とこの底部から立設される一対の側壁および一対の端部壁を有し、前記蓋体は表面部と互いに対向する一対の側壁と端部壁を有し、蓋体を閉位置に固定する係止手段を設けるとともに、蓋体と容器本体のスライド規制手段を設けたことを特徴とするポータブル容器。
【請求項２】
請求項１のポータブル容器において、蓋体を閉位置に固定する前記係止手段は蓋体の表面に形成され蓋体の閉位置において容器本体の端部壁に係合して蓋体を固定するストッパー爪で構成したことを特徴とするポータブル容器。
【請求項３】
請求項１又は２いずれか記載のポータブル容器において、蓋体と容器本体の前記スライド規制手段は容器本体の側壁に形成したスライド溝と蓋体の側壁に形成され前記スライド溝に嵌合するガイド爪により構成したことを特徴とするポータブル容器。
【請求項４】
請求項１ないし３いずれか記載のポータブル容器において、容器本体、これに嵌合して互いにスライドする蓋体、容器本体の側壁に形成したスライド溝を所定の同一曲率による湾曲形状に形成したことを特徴とするポータブル容器。
【考案の詳細な説明】
【技術分野】
【０００１】
本願考案は、ミント、キャンディのような菓子類のポータブル容器に関し、詳しくは、容器本体と蓋体からなり蓋体の開閉を蝶番ではなく蓋体をスライドさせるようにして開閉を容易にして菓子類の出し入れがしやすい携帯に便利な携帯用小型容器に関するものである。
【背景技術】
【０００２】
従来の菓子類のための小型容器は種々知られている。これらは、キャンディ、ミント類、薬剤その他、小粒状のものあるいは他の小物類を収納して携帯するタイプのものである。
しかしながら、その多くは、蓋体がヒンジにより開閉し携帯時に片手の状態で収納物を簡単に取り出せるものがなく、又、ポケットに入れて携帯する場合にかさばってしまい不便である。
なお、本願考案と関連する技術が次の文献において開示されている。
【特許文献１】実用新案登録第３０４７０７８号公報
【考案の開示】
【考案が解決しようとする課題】
【０００３】
本願考案の目的ないし課題は、片手で簡単に開閉でき、しかも蓋の開口量を容易に調節できて内容物の所望量を適正に取り出すことができ、しかも携帯時に衣服に収納または装着してもかさばらない携帯用小型容器の提供にある。
【課題を解決するための手段】
【０００４】
本願考案は、蓋体とこれとスライド可能に嵌合する容器本体と具え、これらが互いにスライドして蓋体による容器本体の開閉をなすポータブル容器であって、前記容器本体は底部とこの底部から立設される一対の側壁および一対の端部壁を有し、前記蓋体は表面部と互いに対向する一対の側壁と端部壁を有し、蓋体を閉位置に固定する係止手段を設けるとともに、蓋体と容器本体のスライド規制手段を設けてなるポータブル容器の実現により、上記課題を解決する。
【０００５】
また、上記のポータブル容器において、蓋体を閉位置に固定する前期係止手段は蓋体の表面に形成され蓋体の閉位置において容器本体の端部壁に係合して蓋体を固定するストッパー爪で構成することがある。
【０００６】
さらに、上記いずれか記載のポータブル容器において、蓋体と容器本体の前記スライド規制手段は容器本体の側壁に形成したスライド溝と蓋体の側壁に形成され前記スライド溝に嵌合するガイド爪により構成することがある。
【０００７】
またさらに、上記いずれか記載のポータブル容器において、容器本体、これに嵌合して互いにスライドする蓋体、容器本体の側壁に形成したスライド溝を所定の同一曲率による湾曲形状に形成することがある。
【考案の効果】
【０００８】
本願考案にあっては、片手の指だけで蓋体のスライドにより容器本体を開口できるので
、車の運転時を始めとして、いつでもどこでもキャンディ、ミントその他を容易にとりだすことができる。また、スライド量により蓋体の開口量を簡単に調節することができる。さらに、全体として薄型、湾曲形状に形成できるのでポケット類への収納時にもかさばることがない。
【考案を実施するための最良の形態】
【０００９】
容器本体とこれに嵌合する蓋体はアルミ等の金属薄板で形成し、両者とも緩曲率の湾曲状に形成しポケットなどに入れた場合にヒトの身体になじんで収まり易くする。また、容器本体の両側壁外面に形成されるスライド溝も前記曲率に合致させて形成する。前記各部材を湾曲形状にすることによりヒトの片手の指による容器本体と蓋体の滑動をし易くする一方、スライド時の動きが適度に抑制され蓋体の移動量を自在にコントロールできるようになる。  さらに、蓋体を湾曲状に形成することにより、ヒトの指で蓋体の表面を押圧すれば、蓋体裏面の端部に形成されるストッパー爪と容器本体の係合が親指と他の指による押圧により簡単に解除され蓋体のスライドが片手による一動作で可能となる。
【実施例】
【００１０】
次に、図面により本願考案の１実施例を説明する。  図１は、開口状態のポータブル容器１０の側面図であり、このポータブル容器１０は同一曲率の緩い湾曲状に形成される容器本体１１とこれに嵌合して矢符Ａ方向に滑動（スライド）して進退する蓋体１２からなっている。            
そして、前記容器本体１１は底部２０と各相対向する一対の側壁と端部壁を具え上部が開口して形成され、この容器本体１１内には例えば粒状の口中清涼剤としてのミント粒等が収納される。２４は容器本体１１の一対の側壁に形成される凹溝からなるスライド溝である
【００１１】
１２は矢符Ａ方向に滑動（スライド）進退して前記容器本体１１の開口部を開閉するように嵌合される蓋体であり、その側壁３１の端部には容器本体１１の側壁に形成された前記スライド溝２４に嵌合するスライド爪２５が形成されている。このスライド爪２５はこの実施例では側壁３１にポンチで形成されており、したがって側壁表面では凹部に裏面では凸部となっている。  スライド溝２４とスライド爪２５によりスライド規制手段が構成されている。
蓋体１２は表面部３０、表面部３０から立設されて相対向する一対の側壁３１、同じく表面部から立設される端部壁３２から構成され、前記一対の側壁端には後述の図３に示すように内側への折曲部３５が形成され前記容器本体１１の嵌合時にこれを支持するようになっている。
【００１２】
図２は、図１に示すポータブル容器１０の開口状態をあらわす平面図である。図において、２１、２２は容器本体１１の底部２０から立設され相対向する一対の側壁であり、２３も同様に容器本体１１の底部２０から立設される一対の端部壁の一方であり他方の端部壁は図示されていない。
蓋体１２は前述のように表面部３０とこれから立設され相対向する一対の側壁３１，３１と端部壁３２とから形成され、表面部３０における端部壁３２寄り近傍位置にはストッパー爪３４が形成されている。このストッパー爪３４はこの実施例では表面部３０にポンチで形成されており、したがって表面部３０の表面では凹部に裏面では凸部となっている。
このストッパー爪３４は後述の図３に示す蓋体１２の閉状態では表面部３０の裏面の前記凸部が容器本体の端部壁内側に係合して全体を固定するようになっている。
容器本体１１の前記端部壁とこれに係合するストッパー爪３４により蓋体１２を閉位置に固定する係止手段が構成されている。
【００１３】
図３は蓋体１２が閉位置にある状態のポータブル容器１０の裏面図である。図において３５，３５は蓋体１２の側壁３１の端部を内側に折り曲げて形成された前記折曲部である。  図示のように、容器本体１１は蓋体１２の表面部３０、側壁３１、端部壁３２、折曲部３５により支持されて蓋体１２と嵌合するようになっている。
【００１４】
次に、上記構成に基づいて当該実施例の作用を説明する。
親指を蓋体１２の表面部３０に当て、他の指を容器本体１１の底部２０裏面に位置させた状態でポータブル容器１０を片手で持ち、親指で表面部３０を押しながら親指と他の指を互いに逆方向に押圧すると、図２に示すストッパー爪３４と容器本体１１の端部壁２３と対向する他の端部壁（不図示）との係合状態が解除され、容器本体１１と蓋体１２とはスライド溝２４内を移動するガイド爪２５に案内されつつ互いにスライドして図１および図２に示すように容器本体１１は開状態となる。  開状態の大きさつまり容器本体１１の開口量は指による押圧力で調整する。そして、このポータブル容器が緩い湾曲状に形成されていること、前記スライド規制手段により蓋体１２と容器本体１１とは移動に対する応力が解除された地点で固定される、すなわち応力の調整により容器本体１１の開口量が規制されその開口状態が保持される。したがって、極くわずか応力を加えれば最小量の開口状態となりミント、キャンディ、薬剤等の粒状物の取り出し量の調節が極めて容易に行える。
な、閉状態となすには、前記手順と逆の操作を行うことになる。
【００１５】
上記の実施例では、容器本体１１、蓋体１２の素材を金属材とする例を述べたが、樹脂、紙等の素材も使用できることは言うまでもない。
【図面の簡単な説明】
【００１６】
【図１】本願考案の１実施例に係るポータブル容器の開状態における側面図である。
【図２】図１におけるポータブル容器の平面図である。
【図３】ポータブル容器の閉状態における底面図である。
【符号の説明】
【００１７】
１０．．．．．．．ポータブル容器
１１．．．．．．．容器本体
１２．．．．．．．蓋体
２０．．．．．．．底部
２１，２２．．．．側壁
２３．．．．．．．端部壁
２４.．．．．．．．スライド溝
２５．．．．．．．ガイド爪
３０．．．．．．．表面部
３１．．．．．．．側壁
３２．．．．．．．端部壁
３３．．．．．．．導板部
３４．．．．．．．ストッパー爪
３５，３５．．．．切曲部
【図１】
0003167777.tif 000003
【図２】
0003167777.tif 000004
【図３】
0003167777.tif 000005